(57)【要約】【課題】身体に違和感を与えず心地よく肌にフィットし、ブラジャーとしてのバスト引き上げ補形機能を高める。【解決手段】本考案のブラジャーは、ブラジャーの左右カップ上端と、ブラジャー背部上端とを結合する肩ストラップが、二枚のベルト状紐を向かいあわせ、向かい合ったベルト状紐同志を長さの直角方向において複数個所接合し、接合部間の空間に掛け止め具の遊離端を挿入可能とした掛け止め部を有する肩ストラップを使用した。【選択図】図１
0003141759.tif 000002
【実用新案登録請求の範囲】
【請求項１】
ブラジャー本体の左右カップ上端と、ブラジャー本体背部上端とを結合する肩ストラップが、二枚のベルト状紐を向い合わせ、向い合ったベルト状紐同志を長さの直角方向において複数個所接合し、接合部間の空間に掛け止め具を挿入可能とした掛け止め部を具備する二重構造ストラップ部分を有する肩ストラップであることを特徴とするブラジャー。
【請求項２】
ブラジャー本体に設けられた左右カップの下端からカップの脇部にかけてブラジャー前身頃に固着され、カップ上方に向かって遊離した状態でカップを被覆する伸縮性補強布を設け、該伸縮性補強布の上端に設けた掛け止め具が該二重構造ストラップ部分に結合されている請求項１に記載のブラジャー。
【考案の詳細な説明】
【技術分野】
【０００１】
本考案は、身体の補整成形効果を高めると共に、皮膚への感触をより向上させたブラジャーに関する。
【背景技術】
【０００２】
従来、女性身体の補整成形を目的としてブラジャー、ガードル、ボディスーツ等の種々の衣類が考案され、使用されている。乳房を保持し、胸部を美しく整えるために種々の形状のブラジャーが提案されているが、近年、補整効果のみならず、着用時の装着感の向上が求められるようになり、胸部カップの下方にワイヤー等の補整材を挿入せずに乳房の成形効果を高める工夫が多々なされている。
【０００３】
また、ブラジャーの成形効果を高めるために、乳房左右カップの下端部から脇側部にかけて、カップから遊離したサポート布を設けてバストを上方へ引き上げることも提案されている。（特許文献１、特許文献２、特許文献３）しかしながら、これらのブラジャーにおいては、乳房の引き上げ効果は、カップ部に重ねて使用されるサポート布を設けた点にあって、それ以外の点についての考慮はなされていない。
【特許文献１】実用新案登録第３１１０５０４号公報
【特許文献２】特開平７−９７７０１号公報
【特許文献３】特開２００７−１５４３２６号公報
【考案の開示】
【考案が解決しようとする課題】
【０００４】
本考案は、上述の女性身体の補整成形を目的とするブラジャーにおいて、身体に違和感を与えず心地よくフィットし、しかもブラジャーとしてのバストの引き上げ、補形機能をより高め維持するブラジャーを提供することを目的とする。
【課題を解決するための手段】
【０００５】
本考案のブラジャーは、ブラジャー左右カップ上端と、ブラジャー背部上端とを結合する肩ストラップの構成に特徴があり、二枚のベルト状紐を向いあわせ、向い合ったベルト状紐同志を長さの直角方向において複数個所接合し、接合部間の空間に掛け止め具を挿入可能とした掛け止め部を具備する二重構造ストラップ部分を有する肩ストラップを使用する。  更に、ブラジャーの左右カップの下端からカップ脇部にかけてブラジャー前身頃に固着され、カップ上方に向かって遊離した状態でカップを被覆する伸縮性補強布を設け、該伸縮性補強布の上端に設けた掛け止め具が、該二重構造ストラップ部分に結合されているブラジャーとすることが好ましい。
【考案の効果】
【０００６】
本考案ブラジャーに用いるストラップは、肩ストラップを構成するベルト状紐同志を長さの直角方向において複数個所接合し、接合部間の空間に掛け止め具を挿入する掛け止め部を設けた二重構造ストラップ部を有するので、従来のブラジャー止め具のように、止め具が直接肌に接することがないので着用感に優れている。また、肩ストラップの左右の長さを揃えることが容易であり、着用時にも従来のブラジャーのように、肩ストラップ紐の長さ調節部分での滑りによりストラップの長さが変化し、引き上げ効果を損なうことがない。
【考案を実施するための最良の形態】
【０００７】
本考案のブラジャーを図面によって説明する。
図１は、本考案のブラジャーの正面図、図２は図１のブラジャー背面図、図３は、二重構造ストラップ部の構造を示す部分説明図、図４は、図１のＡ部における二重構造ストラップ部の使用態様を示す説明図である。本考案のブラジャー本体１は、カップ部２，３、前身頃部４、二重構造ストラップ部５を有する肩ストラップ６、後身頃部７より構成されている。カップ部２，３には、任意のカップパッドを設け、裏側には吸湿性を有する布地もしくは編地を接合する。前身頃部４、後身頃７には必要に応じて接合部を設けることが可能で、前身頃部４と後身頃部６は、脇下において縫合もしくは熱接着により連結９，９する。
【０００８】
前身頃４のカップ部２，３には、図１に示すように必要に応じてリフトアップパネル８を設けることができる。リフトアップパネル８の下縁は、左右カップ部２、３の下端からカップ脇部にかけてブラジャー前身頃４に固着し、カップ上方に向かって遊離した状態でカップ両脇を覆うように設けることが出来る。  本考案のブラジャー本体を形成する前身頃４、リフトアップパネル８は、伸縮性を有する二枚の伸縮性地を熱接着してなるフリーカットボンディング地を使用することが好ましい。
【０００９】
次に、本考案による肩ストラップ６について説明する。肩ストラップ６は、二重構造ストラップ部５を有する。二重構造ストラップ部５は、二枚のベルト状紐５ａ、５ｂを向かいあわせ、向かい合ったベルト状紐５ａ、５ｂを該長さの直角方向において複数個所接合した接合部１０を設ける。接合方法は、縫合，接着，編成のいずれの手段によって行ってもよい。接合部１０、１０間に設けられた空間１１に肩ストラップ６の端部、もしくは前身頃上端に固着された掛け具１２の遊離端１３を挿入する。このような構造の二重構造ストラップ部５を用いることによって、長さ調節部の止め具が直接肌に接触することがなく、ブラジャーの肌触りを改善することができる。さらに、本考案における二重構造ストラップ部５においては、この部分に設けられた任意の空間に掛け具１２の遊離端１３を挿入するものであるので、左右肩ストラップ６の長さを同一にすることが容易であり、しかも、ブラジャーの使用中に二重構造ストラップ部５においては、ストラップ長さがすべりにより変化することもない。
【００１０】
肩ストラップ６は、肩紐全体を上記構造の二重構造ストラップ部５としても、また、図１，２に示すように必要部分にのみ二重構造ストラップ部５を部分的に使用し、他の部分の肩ストラップ６を従来の肩紐素材を用いて構成しても良い。二重構造ストラップ部５を形成する素材は特に限定されないが、好ましくは適度な伸縮性とねじれ、変形を生じない剛性を有することが望ましい。肩ストラップ６は、後身頃上端に設けられたストラップ掛けリング１５に摺動自在に挿入され、他端において前身頃カップ部２，３の上端１４に結合される。肩ストラップ６には、従来用いられている長さ調節用金具１６を必要に応じて設ける。
【００１１】
図１、および図２に示した具体例において、肩ストラップ６の一部を構成する二重構造ストラップ部５の一端を前身頃カップ部２，３の上端に結合することが出来る。この場合、図４に示すようにリフトアップパネル８の上端に掛け具１２を固着して掛け具遊離端１３を二重構造ストラップ部５に設けられた任意箇所の空間１１に挿入することにより、乳房のリフトアップ効果を自由に設定することが可能となる。
【００１２】
肩ストラップ６の二重構造ストラップ部５は、上記以外にも、掛け具１２の遊離端１３を挿入可能な空間を有する素材であれば、布地のみでなく、編地でも良い。更に、上記においては、肩ストラップ６を前身頃上部において長さ調節を行うように記載しているが、肩ストラップ６のいずれの部分に二重構造ストラップ部５を設け、二重構造ストラップ部５によって長さ調節を行うことが出来ることは言うまでもない。尚、上記において本考案の実施例について説明をしたが、本考案はこれらの実施例に限定されるものではなく、本考案の要旨の範囲内において種々設計変更ができることはいうまでもない。
【産業上の利用可能性】
【００１３】
本考案のブラジャーは、多数の空間が並列した二重構造ストラップ部を設けた肩ストラップを用いたことにより、従来、ストラップの長さを調節するために設けられた止め具が皮膚に直かに接することがなくなり、肌への負担が軽減されるばかりでなく、ストラップ長さの調節が容易であり、着用時に長さが変化することなく、確実に乳房を引き上げ良好な形状を保つことが出来る。
【図面の簡単な説明】
【００１４】
【図１】本考案ブラジャーの正面図
【図２】図１のブラジャー背面図
【図３】二重構造ストラップ部の拡大説明図
【図４】二重構造ストラップ部と前身頃上端接合部を示す説明図
【符号の説明】
【００１５】
１  ブラジャー本体
２  カップ部
３  カップ部
４  前身頃
５  二重構造ストラップ部
５ａ  ベルト紐
５ｂ  ベルト紐
６  肩ストラップ
７  後身頃
８  リフトアップパネル
９  連結部
１０  接合部
１１  空間
１２  掛け具
１３  掛け具遊離端
１４  バストカップ上端
１５  ストラップ掛けリング
１６  長さ調節用金具
【図１】
0003141759.tif 000003
【図２】
0003141759.tif 000004
【図３】
0003141759.tif 000005
【図４】
0003141759.tif 000006